(57)【要約】【課題】食料品に係る支出に基づいて、住宅で消費される電力の制御を行う。【解決手段】読取装置２２は、購入品のレシートを読取り、文字認識装置２４が当該レシートに記載された購入品目の文字情報を認識して購入品一覧を出力する。家計簿作成編集装置４４は、購入品一覧が含む購入品目及び購入品の購入価格に基づいて食費に係る家計簿を作成し、記憶装置４６が作成された家計簿を記憶する。さらに、電力管理装置５２は、家計簿の食料品に係る支出を収入と比較し、該食料品に係る支出と該収入との差に応じて系統電力１２から住宅に供給する電力量を制御する。【選択図】図１
2013228863.tif 000002
【特許請求の範囲】
【請求項１】
購入品のレシートを読取るレシート読取手段と、
該レシートに記載された購入品目の文字情報を認識する文字認識手段と、
前記購入品一覧が含む購入品目及び購入品目の購入価格に基づいて食費に係る家計簿を作成する家計簿作成編集手段と、
前記家計簿を記憶する記憶手段と、
前記家計簿の食料品に係る支出と余剰電力に基づく収入を含む収入合計とを比較し、該食料品に係る支出と該収入合計との差に応じて系統電力から住宅に供給する電力量を制御する電力管理手段と、
を備えた住宅用給電制御システム。
【請求項２】
前記文字認識手段は、前記認識した文字情報に係る品目が、食料品か否か及び冷蔵品か非冷蔵品かを判定すると共に、購入品一覧として購入品目並びに食料品か否か及び冷蔵品か否かの別を記載し、
前記家計簿作成編集手段は、前記購入品一覧に記載され食料品と判定された購入品目及び該食料品と判定された購入品目の購入価格に基づいて食費に係る家計簿を作成する請求項１に記載の住宅用給電制御システム。
【請求項３】
前記レシート読取手段が作成した前記購入品一覧に含まれる冷蔵品に係る購入品目を抽出して冷蔵品一覧を作成する冷蔵品在庫管理手段を有する冷蔵庫から該冷蔵品一覧を取得する取得手段と、
前記冷蔵品一覧及び前記家計簿を表示可能な表示手段と、
前記表示手段に表示された前記冷蔵品一覧及び前記家計簿の記載の編集に係る入力が可能な入力手段と、
をさらに備え、
前記家計簿作成編集手段は、前記入力手段からの入力に従って前記冷蔵品一覧及び前記家計簿の記載を編集し、
前記記憶手段は、該編集された前記冷蔵品一覧及び前記家計簿を記憶する請求項２に記載の住宅用給電制御システム。
【請求項４】
前記レシート読取手段及び前記文字認識手段を含むレシート読取認識手段をさらに備えた請求項３に記載の住宅用給電制御システム。
【請求項５】
前記家計簿作成編集手段、前記記憶手段及び前記電力管理手段を含む給電制御手段をさらに備え、
前記給電制御手段は、前記レシート読取認識手段をさらに有する請求項４に記載の住宅用給電制御システム。
【請求項６】
前記冷蔵庫は、前記レシート読取認識手段をさらに有する請求項４に記載の住宅用給電制御システム。
【請求項７】
前記電力管理手段は、前記系統電力から前記住宅に供給された電力量と、前記系統電力以外の他の電力源から前記住宅に供給された電力量と、前記住宅における電力消費量とを把握すると共に、前記住宅において余剰電力が生じた場合は、該余剰電力を前記系統電力に還元し、
前記家計簿作成編集手段は、該還元によって得た金額を前記余剰電力に基づく収入として前記家計簿の前記収入合計に加算する請求項１〜６のいずれか１項に記載の住宅用給電制御システム。
【請求項８】
前記電力管理手段は、前記家計簿の食料品に係る支出が前記収入合計を上回る場合、前記系統電力から前記住宅に供給する電力量を制限する請求項１〜７のいずれか１項に記載の住宅用給電制御システム。
【請求項９】
前記収入合計には、前記余剰電力に基づく収入に加えて任意に加算できる金額が含まれる請求項１〜８のいずれか１項に記載の住宅用給電制御システム。
【発明の詳細な説明】
【技術分野】
【０００１】
本発明は、家計簿の収支結果に基づいて系統電力から供給される電力量を制御する住宅用給電制御システムに関する。
【０００２】
以前から、買物のレシートを読み込むことで、購入品のリストを作成し、購入品の管理をする装置があった。
【０００３】
例えば、特許文献１には、レシートを読み込んでレシートの文字情報を認識して購入品のリストを作成し、作成したリストに基づいて、庫内に保存されている食品の管理をする冷蔵庫の発明が提案されている。
【先行技術文献】
【特許文献】
【０００４】
【特許文献１】特開２００２−１１５９５６号公報
【発明の概要】
【０００５】
しかしながら、特許文献１に記載の技術は、冷蔵庫の在庫管理のみであり、購入品による支出に基づいて、住宅内における他の支出を抑制することを考慮していないという問題があった。
【０００６】
本発明は、上記事実を考慮して成されたもので、食料品に係る支出に基づいて、住宅で消費される電力の制御を行う住宅用給電制御システムを提供することを目的とする。
【課題を解決するための手段】
【０００７】
上記目的を達成するための請求項１の発明は、購入品のレシートを読取るレシート読取手段と、
該レシートに記載された購入品目の文字情報を認識する文字認識手段と、前記購入品一覧が含む購入品目及び購入品目の購入価格に基づいて食費に係る家計簿を作成する家計簿作成編集手段と、前記家計簿を記憶する記憶手段と、前記家計簿の食料品に係る支出と余剰電力に基づく収入を含む収入合計とを比較し、該食料品に係る支出と該収入合計との差に応じて系統電力から住宅に供給する電力量を制御する電力管理手段と、を備えている。
【０００８】
請求項１に記載の発明によれば、購入品のレシートを読み取って取得した情報に基づいて、家計簿を作成でき、当該家計簿において食料品に係る支出と収入との差額に応じて系統電力から住宅に供給する電力を制限することができる。
【０００９】
請求項２の発明は、請求項１に記載の発明において、前記文字認識手段は、前記認識した文字情報に係る品目が、食料品か否か及び冷蔵品か否かを判定すると共に、購入品一覧として購入品目並びに食料品か否か及び冷蔵品か非冷蔵品かの別を記載し、前記家計簿作成編集手段は、前記購入品一覧に記載され食料品と判定された購入品目及び該食料品と判定された購入品目の購入価格に基づいて食費に係る家計簿を作成する。
【００１０】
請求項２に記載の発明によれば、購入品に含まれる冷蔵品を抽出し、リスト化することが可能になると共に、食料品と判定された品目とその購入価格とに基づいて食費に係る家計簿を作成できる。
【００１１】
請求項３の発明は、請求項２に記載の発明において、前記レシート読取手段が作成した前記購入品一覧に含まれる冷蔵品に係る購入品目を抽出して冷蔵品一覧を作成する冷蔵品在庫管理手段を有する冷蔵庫から該冷蔵品一覧を取得する取得手段と、前記冷蔵品一覧及び前記家計簿を表示可能な表示手段と、前記表示手段に表示された前記冷蔵品一覧及び前記家計簿の記載の編集に係る入力が可能な入力手段と、をさらに備え、前記家計簿作成編集手段は、前記入力手段からの入力に従って前記冷蔵品一覧及び前記家計簿の記載を編集し、前記記憶手段は、該編集された前記冷蔵品一覧及び前記家計簿を記憶する。
【００１２】
請求項３に記載の発明によれば、作成した家計簿等を入力手段からの入力により変更することができる。
【００１３】
請求項４の発明は、請求項３に記載の発明において、前記レシート読取手段及び前記文字認識手段を含むレシート読取認識手段をさらに備える。
【００１４】
請求項４に記載の発明によれば、レシートの読み取りと、読み取った情報の文字認識を１つの装置によって処理することが可能となる。
【００１５】
請求項５の発明は、請求項４に記載の発明において、前記家計簿作成編集手段、前記記憶手段及び前記電力管理手段を含む給電制御手段をさらに備え、前記給電制御手段は、前記レシート読取認識手段をさらに有する。
【００１６】
請求項５に記載の発明によれば、前記家計簿作成編集手段、前記記憶手段及び前記電力管理手段を含む給電制御手段がレシートを読み取って文字認識をした結果を直接取得できるようになる。
【００１７】
請求項６の発明は、請求項４に記載の発明において、前記冷蔵庫は、前記レシート読取認識手段をさらに有する。
【００１８】
請求項６に記載の発明によれば、レシートを読み取って文字認識をした結果を、冷蔵庫が直接取得できるようになる。
【００１９】
請求項７の発明は、請求項１〜６のいずれか１項に記載の発明において、  前記電力管理手段は、前記系統電力から前記住宅に供給された電力量と、前記系統電力以外の他の電力源から前記住宅に供給された電力量と、前記住宅における電力消費量とを把握すると共に、前記住宅において余剰電力が生じた場合は、該余剰電力を前記系統電力に還元し、前記家計簿作成編集手段は、該還元によって得た金額を前記余剰電力に基づく収入として前記家計簿の前記収入合計に加算する。
【００２０】
請求項７に記載の発明によれば、系統電力以外の電力源から得た電力を、系統電力に対して、いわゆる売電して得た金額を家計簿に反映することができる。
【００２１】
請求項８の発明は、請求項１〜７のいずれか１項に記載の発明において、前記電力管理手段は、前記家計簿の食料品に係る支出が前記収入合計を上回る場合、前記系統電力から前記住宅に供給する電力量を制限する。
【００２２】
請求項８に記載の発明によれば、家計簿が赤字の場合は、系統電力から供給される電力を制限することができる。
【００２３】
請求項９の発明は、請求項１〜８のいずれか１項に記載の発明において、前記収入合計には、前記余剰電力に基づく収入に加えて任意に加算できる金額が含まれる。
【００２４】
請求項９に記載の発明によれば、家計簿上の収入合計の金額を任意に設定できる。
【発明の効果】
【００２５】
以上説明したように、請求項１に記載の発明によれば、購入品のレシートの文字認識に基づいて家計簿を作成できると共に、家計簿における食料品に係る支出に基づいて、住宅で消費される電力の制御を行うことができるという効果がある。
【００２６】
請求項２に記載の発明によれば、文字認識の結果から、食費に係る家計簿を作成できるという効果を有する。
【００２７】
請求項３の発明によれば、作成した家計簿等を任意に編集することができるという効果を有する。
【００２８】
請求項４の発明によれば、レシートの読み取りと文字認識をパッケージ化された１つの装置で行うことが可能となり、パッケージ化された装置を、住宅内の任意の場所に設置できるという効果を有する。
【００２９】
請求項５の発明によれば、レシートの読み取りと文字情報の認識と家計簿の作成と系統電力の制御とが、１つの装置によって可能になるという効果を有する。
【００３０】
請求項６の発明によれば、冷蔵庫にパッケージ化されたレシート読取認識手段を接続でき、当該レシート読取認識手段が認識した文字認識の結果を冷蔵庫が直接利用できるという効果を有する。
【００３１】
請求項７の発明によれば、他の電力源による電力を売電して得た金額を家計簿に反映できるので、ユーザに省エネルギーの動機付けを起こさせることができるという効果を有する。
【００３２】
請求項８の発明によれば、家計簿が赤字の時は、系統電力から供給される電力を抑制することで、省エネルギーを達成できるという効果がある。
【００３３】
請求項９の発明によれば、売電以外で得た予算等の金額を家計簿の収入合計に反映できるという効果がある。
【図面の簡単な説明】
【００３４】
【図１】本発明の実施の形態に係る住宅用給電制御システムの概略図である。
【図２】購入品一覧の一例を示す図である。
【図３】家計簿の一例を示す図である。
【図４】家計簿のグラフの一例を示す図である。
【図５】本発明の実施の形態に係る給電制御装置による家計簿の収支に応じた電力供給の制御を示すフローチャートである。
【図６】冷蔵庫内の食料品一覧の一例を示す図である。
【図７】冷蔵庫内の食料品で作れる料理の一覧の一例を示す図である。
【図８】レシピの一例を示す図である。
【発明を実施するための形態】
【００３５】
以下、図面を用いて、本実施の形態に係る住宅用給電制御システム１００について説明する。図１は、本実施の形態に係る住宅用給電制御システムの概略図である。なお、図１において、破線矢印は、情報の流れを示す情報線であり、実線矢印は、電力の流れを示す電力線である。
【００３６】
本実施の形態に係る住宅用給電制御システム１００は、購入品のレシートを読み取り、レシートに記載された購入品目の文字情報を認識し、購入品一覧として出力するレシート読取認識装置２０を備える。また、レシート読取認識装置２０から購入品目の文字情報を取得して家計簿を生成すると共に、家計簿の収支に基づいて系統電力１２から住宅の分電盤１４に供給される電力を制御する給電制御装置４０を備えている。
【００３７】
さらに、本実施の形態に係る住宅用給電制御システム１００は、冷蔵品の在庫管理機能を有する冷蔵庫６０が設けられている。なお、本実施の形態では、冷蔵品には冷凍品も包含されるものとする。
【００３８】
また、本実施の形態に係る住宅用給電制御システム１００が設置されている住宅では、太陽光発電装置１６等の、系統電力１２以外の他の電力源が生成した電力が分電盤１４に供給可能である。
【００３９】
当該住宅では、家電製品及び照明器具等の電力負荷７０によって系統電力１２及び太陽光発電装置１６による電力が消費されるがが、余剰電力は分電盤１４から系統電力１２に還元される、いわゆる売電が可能な構成であるとする。
【００４０】
本実施の形態に係る給電制御装置４０は、分電盤１４に設けられた電流センサ（図示せず）により、系統電力１２からの電力供給、太陽光発電装置からの電力供給、分電盤１４から電力負荷７０への電力の供給及び系統電力１２への電力の還元である売電の状況を把握している。
【００４１】
また、本実施の形態係るレシート読取認識装置２０は、スキャナ等の読取装置２２によって購入品のレシートを読み取る。
【００４２】
読取装置２２によって読み取られた購入品のレシートの画像は、文字認識装置２４によって文字情報が認識される。文字情報の認識は、ＯＣＲ（OpticalCharacter Reader）等の既存の技術を用いて行うものとする。
【００４３】
本実施の形態では、文字認識の際に、文字認識装置２４は、食料品の品目及び冷蔵品又は非冷蔵品の別を記載した辞書データベース２６を参照する。文字認識装置２４は、辞書データベース２６を参照することにより、レシートの画像から認識した文字情報に食料品の項目が含まれているか否か、認識した文字情報に係る項目は冷蔵品か否かを判定する。
【００４４】
文字認識装置２４は、購入品目の文字情報を認識した結果に基づいて、購入品の一覧を生成し、ディスプレイとタッチパネルが一体となった表示・入力装置３０に出力する。
【００４５】
図２は表示・入力装置３０に表示される購入品一覧の一例を示す図である。
【００４６】
図２の左側には、読取装置２２によって読み取られたレシートの画像が表示され、右側上段には文字認識装置２４が認識した文字情報に基づいた明細が表示されている。
【００４７】
図２の明細の欄には、購入品目、価格、購入品が食料品か否かの分類、購入品が冷蔵品か否かの備考が記載されている。
【００４８】
ユーザは、文字認識に基づく右欄の記載が正しいか否かを確認し、必要に応じタッチパネルを操作して修正することができる。
【００４９】
また、本実施の形態に係るレシート読取認識装置２０は、生成した購入品一覧の情報をネットワークインターフェース２８等の手段を介して給電制御装置４０に送信する。
【００５０】
本実施の形態では、レシート読取認識装置２０、給電制御装置４０及び冷蔵庫６０の各々は、住宅内のＬＡＮ（Local Area Network）を介して通信可能に接続されている。
【００５１】
本実施の形態において、ＬＡＮは、いわゆるＬＡＮケーブル等の専用の情報線を用いたもののみならず、電力線を用いる、いわゆる電力線搬送通信であってもよい。
【００５２】
また、ＬＡＮを使用せずに、シリアル接続、ＩＥＥＥ１３９４接続又はＵＳＢ接続によって、レシート読取認識装置２０を、給電制御装置４０に接続してもよい。さらには、レシート読取認識装置２０は、給電制御装置４０と一体に設けられていてもよい。
【００５３】
レシート読取認識装置２０から購入品一覧の情報をネットワークインターフェース４２等から取得した給電制御装置４０は、家計簿作成編集装置４４で家計簿を作成する。
【００５４】
図３は、作成された家計簿の一例を示す図である。
【００５５】
図３に示した家計簿は、レシート読取認識装置２０から取得した購入品一覧に基づいて、食料品の購入に係る支出合計を算出し、当該支出合計と、収入合計との差額を算出している。
【００５６】
図３において、収入合計は、毎週の予算と、前週の繰越と、上述の売電によって得た金額との合計である。なお、毎週の予算は、毎週所定の金額が規定されていてもよいし、週ごとに任意の金額を設定可能であってもよい。
【００５７】
食料品に係る支出が予算を上回っても、売電による金額が高ければ、家計簿は黒字として計上される。
【００５８】
図３の家計簿の一例は、本実施の形態では、給電制御装置４０の表示装置５０に表示される。
【００５９】
本実施の形態では、図３に示す家計簿は、レシート読取認識装置２０から送信される購入品一覧及び電力管理装置５２から送信された売電の金額に基づいて内容が更新される。しかしながら、レシート読取認識装置２０が文字認識を誤るおそれが否定できないことから、表示された内容を修正したい場合が考えられる。
【００６０】
本実施の形態では、ユーザは、表示された家計簿の記載が正しいか否かを確認し、修正を要する場合は、入力装置４８を用いて表示された家計簿を修正できる。
【００６１】
なお、本実施の形態に係る給電制御装置４０は、住宅への電力供給を制御するＨＥＭＳ（Home Energy ManagementSystem）であってもよい。この場合、表示装置５０は、液晶等を用いたディスプレイであり、入力装置４８は、表示装置５０と一体に設けられたタッチパネル等のデバイスであってもよいし、別途テンキー若しくはキーボード又はマウス等のデバイスを備えていてもよい。
【００６２】
また、家計簿は、図３のような表形式（ワークシート）のみならず、グラフ形式で表示可能であってもよい。
【００６３】
図４は、グラフ形式による家計簿の一例を示す図である。本実施の形態では、図３の右肩にある「グラフ表示」のボタンをタッチすることにより、図４のようなグラフ表示が可能となる。
【００６４】
図４では、その月の収支の累計が週別に記載されている。グラフ上の横破線は、目標額となる収入累計であり、本実施の形態では、毎週の予算、前週からの繰越及び売電による売上げが含まれる。
【００６５】
図４の最下段には棒グラフで示された支出累計と横破線で示された収入累計との差額が残金として表示され、赤字の場合には数字を赤で表示してもよい。
【００６６】
また、収入累計に対して支出累計が、例えば２０％以上赤字の場合は、数字を点滅させて、ユーザに報知するようにしてもよい。
【００６７】
家計簿作成編集装置４４は、作成若しくは更新又はユーザによって修正された家計簿と、レシート読取認識装置２０から取得した購入品一覧とを記憶装置に記憶させる。
【００６８】
また、作成若しくは更新又はユーザによって修正された家計簿は電力管理装置５２に送信される。
【００６９】
電力管理装置５２は、家計簿が赤字の場合に、系統電力１２から住宅に供給される電力を制限する。
【００７０】
本実施の形態では、系統電力１２から住宅に供給される電力は、いわゆる契約アンペアを上限として、給電制御装置（ＨＥＭＳ）４０からの制御により、１又は複数の段階で制限することが可能であるとする。
【００７１】
例えば、電力管理装置５２は、図４に示した収入の累計に対して支出累計が１〜１０％オーバーしている場合は、系統電力１２から供給される電力を１０％削減するように分電盤１４を制御する。
【００７２】
また、収入の累計に対して支出累計が１０％以上オーバーしている場合には、系統電力１２から供給される電力を２０％削減するようにしてもよい。
【００７３】
次に、図５を用いて、給電制御装置４０の電力管理装置５２による、系統電力１２から住宅に供給される電力の制御について説明する。
【００７４】
図５は、本実施の形態に係る給電制御装置４０による家計簿の収支に応じた電力供給の制御を示すフローチャートである。
【００７５】
ステップ５００で、電力管理装置５２は、家計簿作成編集装置４４から家計簿を取得する。
【００７６】
ステップ５０２では、取得した家計簿の最近の残金の欄が黒字か否かを判定し、肯定判定の場合は、ステップ５０４に示したように、系統電力１２から供給される電力を制限しない。
【００７７】
ステップ５０２で否定判定がされた場合は、ステップ５０６において、支出が収入を１０％以上オーバーしているか否かを判定し、肯定判定の場合は、ステップ５０８において、系統電力１２から供給される電力を２０％削減する。
【００７８】
また、ステップ５０６で否定判定の場合は、ステップ５１０において、系統電力１２から供給される電力を１０％削減する。
【００７９】
以上のように、本実施の形態によれば、家計簿が赤字の時は、系統電力から供給される電力を抑制することで、省エネルギーを達成できるという効果がある。
【００８０】
続いて、冷蔵品の在庫管理機能を有する冷蔵庫６０について説明する。
【００８１】
前述のように、本実施の形態では、冷蔵庫６０もネットワークインターフェース６２を備え、住宅内のネットワーク（ＬＡＮ）を介して情報を取得する。
【００８２】
まず、冷蔵庫６０は、レシート読取認識装置２０が文字認識して作成した購入品一覧を、ネットワークインターフェース６２を介して取得する。
【００８３】
購入品一覧は、レシート読取認識装置２０のネットワークインターフェース２８から取得してもよいし、給電制御装置４０のネットワークインターフェース４０にアクセスし、給電制御装置４０の記憶装置４６に記憶されている購入品一覧を取得してもよい。
【００８４】
また、ＬＡＮを使用せずに、シリアル接続、ＩＥＥＥ１３９４接続又はＵＳＢ接続によって、レシート読取認識装置２０を、冷蔵庫６０に接続してもよい。さらには、レシート読取認識装置２０は、冷蔵庫６０と一体に設けられていてもよい。
【００８５】
次いで、取得した購入品一覧に基づいて、冷蔵品在庫管理装置６４が冷蔵庫内の食料品一覧を作成する。
【００８６】
図６は、冷蔵庫内の食料品一覧の一例を示す図である。前述のように、購入品一覧は備考欄において購入品の冷蔵品又は非冷蔵品の別を記載しているので、冷蔵品在庫管理装置６４は、購入品一覧の備考欄の記載に基づいて冷蔵庫内の食料品一覧を作成する。
【００８７】
各品目の価格も購入品一覧には記載されているので、これらを抽出することで、図６に示したような冷蔵庫内の食料品一覧を作成する。
【００８８】
ただし、食品の消費期限はレシートには記載されていない。また、レシートを読み取って作成された購入品一覧では各品目の数量の情報が不十分な場合が少なくない。さらには、冷蔵庫内の実際の在庫の確認も、レシートの記載に基づく購入品一覧の情報では不可能である。
【００８９】
かかる項目はユーザが入力する必要があるので、本実施の形態では、冷蔵庫６０は、ディスプレイとタッチパネルが一体となった表示・入力装置６６を備えている。
【００９０】
ユーザは、表示・入力装置６６に表示された冷蔵庫内の食料品一覧を確認し、装置の御認識による誤記の訂正、さらには、各品目の数量、消費期限又は実際の在庫の有無等の情報を入力する。
【００９１】
なお、タッチパネル以外にも、テンキー若しくは簡易的なキーボード等のデバイスを備えるようにしてもよい。
【００９２】
表示・入力装置６６は、冷蔵庫６０のドア部分に設けることが考えられるが、冷蔵庫６６本体の側面等、操作が可能な箇所であれば、設置されるカ所に特に制限はない。
【００９３】
また、本実施の形態では、冷蔵庫内に在庫状況を入力するための入力装置を別途備えるようにしてもよい。
【００９４】
ユーザは、冷蔵庫に購入品を入れるときに、かかる入力装置を操作して新しく食料品が冷蔵庫内にあることを入力（登録）する。また、冷蔵庫内の食料品を取り出すときには、その食品を在庫の一覧から除外（登録の抹消）するように入力することで、冷蔵庫内の食料品の在庫状況を更新できる。
【００９５】
冷蔵庫内の入力装置は、例えば、タッチパネルに表示された項目を選択することによって、冷蔵庫内に貯蔵される食品の登録及び登録の抹消が可能なものでよい。
【００９６】
作成された冷蔵庫内食料品一覧は、給電制御装置４０に送信され、記憶装置４６に記憶され、給電制御装置４０の表示装置５０にも表示可能である。また、入力装置４８の操作によって記載内容を変更することも可能である。
【００９７】
本実施の形態では、レシート読取認識装置２０が作成した購入品一覧、家計簿作成編集装置４４が作成した家計簿及び冷蔵品在庫管理装置６４が作成した冷蔵庫内の食料品一覧は、給電制御装置４０の記憶装置４６に記憶され、一元管理されるようにしてもよい。
【００９８】
しかしながら、冷蔵庫６０及びレシート読取認識装置２０に各々記憶装置を設け、それらにも購入品一覧、家計簿及び冷蔵庫内の食料品一覧を記憶させてもよい。
【００９９】
なお、図６に示した冷蔵庫内の食料品一覧は、消費期限が例えば１週間以内に迫った食料品のみを一覧表示するようにしてもよい。消費期限切れが間近な食品のみを一覧で表示することにより、冷蔵庫内の古い食料品を優先的に使用することになり、食料品を鮮度劣化又は消費期限切れで廃棄する無駄を抑制できる。
【０１００】
図７は、冷蔵庫内の食料品で作ることができる料理の一覧である。本実施の形態にかかる冷蔵庫６０は、料理の作り方である、いわゆるレシピを記憶したレシピデータベース６８を備えている。
【０１０１】
冷蔵品在庫管理装置６４は、冷蔵庫内の食料品一覧に記載されている食料品の品目でレシピデータベース６８を検索し、当該検索で抽出した料理の名称を一覧にして表示・入力装置６６に表示させる。
【０１０２】
また、図７の料理の一覧は、給電制御装置４０に送信し、給電制御装置４０の表示装置５０に表示可能であってもよい。
【０１０３】
さらに、冷蔵品在庫管理装置６４は、冷蔵庫内の食料品で作ることができる料理が見当たらない場合は、どのような材料があれば料理が作れるかを表示・入力装置６６又は給電制御装置４０の表示装置５０に表示するようにしてもよい。
【０１０４】
例えば、冷蔵庫内に牛肉しかない場合、ネギ、焼き豆腐、白菜及びシラタキがあれば、すき焼きが作れることを表示するようにしてもよい。
【０１０５】
また、冷蔵品在庫管理装置６４は、消費期限切れが間近な食品で作ることができる料理を表示させるようにしてもよい。
【０１０６】
図７に示した冷蔵庫内の食料品で作ることができる料理の一覧を作成するためのレシピデータベース６８の検索は、表示・入力装置６６からの操作、又は給電制御装置４０の入力装置４８からの操作に基づいて行われる。このほかにも、所定の時間帯、例えば、午後７時等の夕食の支度をする時間帯等に、冷蔵品在庫管理装置がレシピデータベース６８の検索を自動的に行って、図７に示した冷蔵庫内の食料品で作ることができる料理の一覧を作成するようにしてもよい。
【０１０７】
また、ユーザは、図７に示した料理の一覧から任意の料理を選択して、図７の右下にある「選択した料理のレシピを表示する」をタッチすることで、選択した料理のレシピを表示することができる。
【０１０８】
図８は、表示されるレシピの一例である。「次を見る」をタッチすることで、別の料理のレシピを閲覧でき、「前に戻る」をタッチすると、図７の状態に表示・入力装置６６の表示が復帰する。
【０１０９】
なお、図８は、冷蔵庫６０の表示・入力装置６６に表示するが、給電制御装置４０の表示装置に表示可能であってもよい。
【０１１０】
また、図８のレシピは、消費期限切れが間近な食料品のみを使用して作るものに限定してもよい。
【０１１１】
以上、説明したように、本実施の形態に係る住宅用給電制御システムによれば、購入品のレシートの文字認識に基づいて家計簿を作成できると共に、家計簿における購入品による支出に基づいて、住宅で消費される電力の制御を行うことができる。
【０１１２】
また、購入品のレシートの文字認識を利用して冷蔵庫内の在庫管理をすることができ、当該在庫管理においては、冷蔵庫内の食料品の消費期限管理も可能であるから、食料品を鮮度劣化又は消費期限切れで廃棄する無駄を抑制できる。
【符号の説明】
【０１１３】
１２    系統電力
１４    分電盤
１６    太陽光発電装置
２０    レシート読取認識装置
２２    読取装置
２４    文字認識装置
４０    給電制御装置
４４    家計簿作成編集装置
４６    記憶装置
４８    入力装置
５０    表示装置
５２    電力管理装置
６０    冷蔵庫
１００    住宅用給電制御システム
【図１】
2013228863.tif 000003
【図２】
2013228863.tif 000004
【図３】
2013228863.tif 000005
【図４】
2013228863.tif 000006
【図５】
2013228863.tif 000007
【図６】
2013228863.tif 000008
【図７】
2013228863.tif 000009
【図８】
2013228863.tif 000010